【事件の表示】
　特願２００１−１８４７３６「冷蔵庫の消耗品の入れ替え時点報知装置及び方法」拒絶査定不服審判事件〔平成１４年　２月　６日出願公開、特開２００２−　３９６６８〕について、次のとおり審決する。
【結　論】
　本件審判の請求は、成り立たない。
【理　由】
１．手続の経緯
　この出願は、平成１３年６月１９日（パリ条約による優先権主張２０００年６月１９日、韓国）の出願であって、平成１６年３月１８日付け（発送日：同月２３日）で拒絶査定がなされ、これに対して同年６月１８日に拒絶査定に対する不服審判の請求がなされるとともに、同日に手続補正がなされたものである。
　
２．補正却下の決定
　
［補正却下の決定の結論］
　平成１６年６月１８日付けの手続補正を却下する。
　
［理由］
（１）補正後の特許請求の範囲の請求項１ないし５に係る発明
　平成１６年６月１８日付け手続補正（以下「本件補正」という。）により補正された特許請求の範囲の請求項１ないし５に係る発明は、特許請求の範囲の請求項１ないし５に記載された次のとおりのものである。
　
　　【請求項１】　冷蔵庫の外部一側面に設けられ、文字、イメージ、音声及び動画像のデータを表すスクリーンと、
　該スクリーンに表示されるデータを処理し、前記冷蔵庫の動作に関連した制御を行う制御部と、
　該制御部に伝達される消耗品の入れ替えデータをユーザが入力する入力部と、
　前記消耗品の入れ替えデータに基づいて制御部で算出した消耗品の入れ替え日を設定し、前記消耗品の入れ替え日になると、前記スクリーンへ消耗品入れ替え要請表示ができるように前記制御部に入れ替え日を報知する入れ替え日設定部と、
　前記制御部から消耗品の入れ替え信号が発生すると、前記消耗品の入れ替え信号を消耗品の供給業者に伝達する通信手段を備えたことを特徴とする冷蔵庫の消耗品の入れ替え時点報知装置。
　　【請求項２】　前記スクリーンは、タッチによりデータが入力される入力部と一体として形成されていることを特徴とする請求項１に記載の冷蔵庫の消耗品の入れ替え時点報知装置。
　　【請求項３】　消耗品を装着するステップと、
　前記装着された消耗品に関する消耗品入れ替えデータをユーザが入力するステップと、
　前記消耗品の入れ替えデータに基づいて次の入れ替え日を算出するステップと、
　前記算出された入れ替え日と現在日とを比較するステップと、
　前記入れ替え日と現在日とが一致すると、冷蔵庫の前面のスクリーン上に消耗品の入れ替え情報を表示するステップとを含み、
　前記消耗品の入れ替え情報は、スクリーン上に表示され、かつ他の通信手段により供給業者に伝われることを特徴とする冷蔵庫の消耗品の入れ替え時点報知方法。
　　【請求項４】　前記消耗品の入れ替え情報を表示するステップでは、前記算出された入れ替え日の午前中、メイン画面から入れ替え情報を表示させることを特徴とする請求項３に記載の冷蔵庫の消耗品の入れ替え時点報知方法。
　　【請求項５】　前記消耗品の入れ替え情報は、消耗品を入れ替えるまで、表示しつづけることを特徴とする請求項４に記載の冷蔵庫の消耗品の入れ替え時点報知方法。
　
　本件補正は、補正前の請求項３における「データを表示するスクリーン」を「文字、イメージ、音声及び動画像のデータを表示するスクリーン」に限定して、新しい請求項１にするとともに、補正前の請求項７を新しい請求項３とし、請求項５及び請求項６を繰り上げて、新しい請求項４及び請求項５とするものであって、特許法第１７条の２第４項第１号の請求項の削除及び第２号の特許請求の範囲の減縮を目的とする補正に該当し、また、新規事項を追加するものでもない。
　
（２）引用例に記載された発明
　本願の優先権主張の日前に頒布された刊行物であって、原審で引用された特開２０００−１２１２３８号公報（以下「引用例」という。）には、図面とともに次の記載がある。
　
（ア）「本発明は、サービスセンターと家電機器の使用者との間で修理の効率化を図ることを目的とする。また、冷蔵庫または冷蔵庫を構成する部品が寿命になると表示または音声でユーザーに知らせ、また、故障すると自動的にサービスセンタへ連絡するというユーザーへのサービスを提供することを目的とする。」（段落【０００８】）
　
（イ）「以下、本発明の実施の形態について、図１から図９を用いて説明が、家電機器として電源が年中入っているのは冷蔵庫、テレビ、エアコンといったものがあり、いつサービスセンターに情報を出すかわからないことを考えて、冷蔵庫を例に説明する。」（段落【００２７】）
　
（ウ）段落【００２８】〜【００３２】に「（実施の形態）図１は、本発明の第１の実施の形態における冷凍冷蔵庫の制御装置のブロック図、図２は本発明の第１の実施の形態における冷凍冷蔵庫の制御装置の動作を説明するためのフローチャートである。図１において、１は冷蔵庫本体であり、・・・・７は液晶表示パネルである。」と記載されており、当該液晶表示パネル７が冷蔵庫の外部一側面に設けられている図が、図１、図３、図５に記載されている。
　
（エ）「図３で実施の形態１と同一構成のものは同じ番号を付与し、説明は省略する。
　８は部品別寿命設定手段であり、冷蔵庫を構成する部品あるいは消耗品の種類別に寿命を設定する。例えば製氷機用の浄水フィルター，冷蔵室内脱臭用の脱臭フィルター，冷蔵室を明るくする庫内灯等を装備している冷蔵庫において（表１）に示すように部品別に寿命を設定する。
　９は部品別比較手段であり、タイマ手段３で計測した時間が部品別寿命設定手段８で設定されている時間以上であれば該当部品について寿命が来たと判断し信号を出力する。
　１０は部品別寿命警告設定手段であり、部品別寿命設定手段で設定した時間より短い時間を設定する。例えば（表１）に示すように部品あるいは消耗品別に寿命より１ヶ月少ない時間を設定している。
　１１は部品別寿命警告比較手段であり、タイマ手段３で計測した時間が部品別寿命警告設定手段１０で設定されている時間以上であれば該当部品について寿命が近づいていると判断し信号を出力する。」（段落【００４０】〜【００４３】）
　
（オ）段落【００４０】に、「表１」として部品名「浄水フィルター」、「脱臭フィルター」、「庫内灯」のそれぞれについて、スクリーンへの表示内容として寿命「３６ヶ月」、「６０ヶ月」、「８４ヶ月」、寿命警告「３５ヶ月」、「５９ヶ月」、「８３ヶ月」と記載されている。
　
（カ）「図４のフローチャートにおいて、まずＳ４０１で部品別寿命設定手段８により寿命時間Ｔを設定する。・・・・次にＳ４０２では部品別寿命警告設定手段１０により寿命警告時間ＴＴを設定する。・・・・」（段落【００４５】〜【００４６】）
　
（キ）「・・・・Ｓ４０４では記憶手段５からタイマ手段３で計測するｔ１を読み込む。初めて冷蔵庫に電源が投入されたときはｔ１は０となっている。・・・・
　Ｓ４０５ではタイマ手段３によりｔ１を計測しＳ４０６に進む。・・・・Ｓ４０７ではｔ１と浄水フィルターの寿命警告時間ＴＴ１を比較し、ｔ１＞ＴＴ１であればＳ４０８に進み、ｔ１＞ＴＴ１でないならばＳ４１１に進む。Ｓ４０８では「浄水フィルターの交換時期が近づいています。」と液晶表示パネル７に表示し、Ｓ４０９へ進む。・・・・ｔ１と浄水フィルターの寿命時間Ｔ１を比較し、ｔ１＞Ｔ１であればＳ４１０に進み、ｔ１＞Ｔ１でないならばＳ４１１に進む。Ｓ４１０では「浄水フィルターの交換時期になりました。」と液晶表示パネル７に表示し、Ｓ４１１へ進む。」（段落【００４７】〜【００４８】）
　
（ク）「図５において、１２は冷蔵庫から遠隔地にあり、故障等製品サポートを行っているサービスセンターである。１３は冷蔵庫本体１とサービスセンター１２とが無線あるいは有線で結ばれデータ通信が可能な通信手段である。勿論通信手段１３にはＰＨＳ，衛星システムや公衆電話回線，専用回線等でも良い。
　１４は音声を出力するスピーカである。・・・・」（段落【００５３】〜【００５４】）
　
（ケ）「　図７のフローチャートにおいて・・・・Ｓ７０５では、表示内容決定手段２９で故障が起こったと判定し、Ｓ７０６で通知手段３０と通信手段１３によりサービスセンター１２へ故障通知を行い、Ｓ７０７で液晶表示パネル７に「冷蔵庫が故障しましたのでサービスセンターへ連絡いたしました」等、故障通知したことを表示し、Ｓ７０８でスピーカ１４により故障通知したことを音声出力する。」（段落【００６１】〜【００６２】）
　
　上記記載事項（ア）ないし（ケ）及び図面の記載から、引用例には次の発明が記載されているものと認められる（以下「引用例発明」という。）。
　
［引用例発明］
　「冷蔵庫の外部一側面に設けられ、文字のデータを表す液晶表示パネルと、消耗品の寿命を設定する部品別寿命設定手段と、前記消耗品の寿命に基づいて消耗品の入れ替え日になると、前記液晶表示パネルへ消耗品入れ替え要請が表示できるようにする部品別比較手段と、冷蔵庫に故障が起こったと判定されると故障通知をサービスセンターに伝達する通信手段を備えた冷蔵庫の制御装置。」
　
（３）対比
　本願の補正後の請求項１に係る発明（以下「本願補正発明」という。）と、上記引用例発明とを比較すると、本願補正発明における「スクリーン」が引用例発明における「液晶表示パネル」に相当し、以下、それぞれ「消耗品の入れ替えデータ」が「消耗品の寿命」、「入力」が「設定」、「入力部」が「部品別寿命設定手段」、「入れ替え日設定部」が「部品別比較手段」、「消耗品供給業者」が「サービスセンター」、「冷蔵庫の消耗品の入れ替え時点報知装置」が「冷蔵庫の制御装置」に相当する。
  　
　してみると、本願補正発明と引用例発明とは「冷蔵庫の外部一側面に設けられ、文字データを表すスクリーンと、消耗品の入れ替えデータを入力する入力部と、前記消耗品の入れ替えデータに基づいて消耗品の入れ替え日になると、前記スクリーンに消耗品の入れ替え要請表示ができるようにする入れ替え日設定部と、消耗品供給業者に伝達する通信手段を備えた冷蔵庫の消耗品の入れ替え時点報知装置」である点で一致し、次の点で相違する。
　
（相違点Ａ）
　本願補正発明では、スクリーンが「文字、イメージ、音声及び動画像」のデータを表すのに対して、引用例発明では、スクリーンが「文字」のデータを表す点。
　
（相違点Ｂ）
　本願補正発明では、「該スクリーンに表示されるデータを処理し、前記冷蔵庫の動作に関連した制御を行う制御部」を有するのに対して、引用例発明では、そのような構成はない点。
　
（相違点Ｃ）
　本願補正発明では、消耗品の入れ替えデータが「ユーザー」によって入力され、「制御部に伝達される」のに対して、引用例発明では、そのような構成はない点。
　
（相違点Ｄ）
　本願補正発明では、消耗品の入れ替えデータに基づいて「制御部で算出した消耗品の入れ替え日を設定」するのに対して、引用例発明では、そのような構成はない点。
　
（相違点Ｅ）
　本願補正発明では、入れ替え日設定部が「制御部に入れ替え日を報知する」のに対して、引用例発明では、そのような構成はない点。
　
（相違点Ｆ）
　本願補正発明では、「前記制御部から消耗品の入れ替え信号が発生すると、前記消耗品の入れ替え信号を」消耗品の供給業者に伝達するのに対して、引用例発明では、「故障が発生すると」消耗品の供給業者に伝達する点。
　
（４）当審の判断
［相違点Ａについて］
　スクリーンに文字以外のイメージ、音声及び動画像のデータを表示することは、例示するまでもなく従来周知の技術手段にすぎず、当業者が、引用例発明におけるスクリーンを「文字、イメージ、音声及び動画像のデータを表す」よう構成することは、容易に想到し得たものである。
　
［相違点Ｂについて］
　冷蔵庫等の家庭電化製品においてマイコンにより冷蔵庫の動作に関連した制御を行い、また、スクリーンに表示するデータを処理することは、例示するまでもなく従来周知の技術手段にすぎず、当業者が、引用例発明における冷蔵庫に「スクリーンに表示されるデータを処理し、前記冷蔵庫の動作に関連した制御を行う制御部」を設けることは、容易に想到し得たものである。
　
［相違点Ｃについて］
　冷蔵庫等の家庭電化製品において、通常、消耗品はユーザーにより交換されるものであることを勘案すると、当業者が、引用例発明において、消耗品入れ替え時に入力される消耗品入れ替えデータを「ユーザー」が入力するよう構成することは、適宜なし得た程度の設計変更にすぎない。
　
［相違点Ｄについて］
　人間が、期間を計算する場合において、通常、日付同士を比較して期間計算を行うものであることを勘案すると、本願補正発明における「制御部で算出した消耗品の入れ替え日を設定」することは、人間と同様に、期間計算を日付同士の比較に置き換えているものといえる。
　一方、引用例発明においては、引用例の記載を参酌すると、タイマで直接、期間を計算しているものであり、してみると、当業者が、引用例発明における期間計算をタイマによる方法から、日付同士を比較する方法に置き換えることは、容易に想到し得たことである。
　
［相違点Ｅについて］
　前記のとおり、引用例発明において、「スクリーンに表示されるデータを処理し、前記冷蔵庫の動作に関連した制御を行う制御部」を設けることは、当業者が容易に想到し得たことであって、当該スクリーンにおいて、ユーザーに対して入れ替え日であることを報知するために「制御部に入れ替え日を報知」するよう構成することは、当業者が適宜なし得た程度の設計変更にすぎない。
　
［相違点Ｆについて］
　一般に、消耗品が寿命により消耗することは、広い意味での「故障」と解され、当該広い意味での「故障」の際に、サービス業者に自動的に報知することが従来周知の技術手段（例えば、特開平１０−１５４１８１号公報を参照）であることを勘案すると、当業者が、引用例発明において、「前記制御部から消耗品の入れ替え信号が発生すると、前記消耗品の入れ替え信号を」消耗品の供給業者に伝達するよう構成することは、容易に想到し得たことである。
　
（５）むすび
　以上のとおりであるから、本願補正発明は、引用例発明に基いて、当業者が容易に発明をすることができたものであるから、特許法第２９条第２項に規定する要件を満たしておらず、その出願の際、独立して特許を受けることができないものであり、本件補正は、特許法第１７条の２第５項において準用する同法第１２６条第５項の規定する要件を満たしていない。
　よって、本件補正は、特許法第１５９条第１項において読み替えて準用する同法第５３条第１項の規定により却下する。
　
３．本願発明について
（１）本願の請求項１に係る発明
　本件補正は、上記のとおり却下されたので、本願の請求項３に係る発明（補正後の請求項１に係る発明に対応する。以下「本願発明」という。）は、平成１６年２月２５日付けの手続補正で補正された特許請求の範囲の請求項３に記載された次のとおりのものである。
　
【請求項３】　さらに、前記制御部から消耗品の入れ替え信号が発生すると、前記消耗品の入れ替え信号を消耗品の供給業者に伝達する通信手段を備えていることを特徴とする請求項１又は２に記載の冷蔵庫の消耗品の入れ替え時点報知装置。
　
　ここで、請求項１は以下のとおりである。
【請求項１】　冷蔵庫の外部一側面に設けられ、データを表示するスクリーンと、
　該スクリーンに表示されるデータを処理し、前記冷蔵庫の動作に関連した制御を行う制御部と、
　該制御部にユーザーから伝達される消耗品の入れ替えデータが入力される入力部と、
　前記消耗品の入れ替えデータに基づいて制御部で算出した消耗品の入れ替え日を設定し、前記消耗品の入れ替え日になると、前記スクリーンへ消耗品入れ替え要請表示ができるように前記制御部に入れ替え日を報知する入れ替え日設定部とを備えたことを特徴とする冷蔵庫の消耗品の入れ替え時点報知装置。
　
（２）本願発明の容易想到性
　本願発明は、本願補正発明における「文字、イメージ、音声及び動画像のデータを表示するスクリーン」を「データを表示するスクリーン」とするほか、同様のものである。
　そうすると、本願発明に「データを表示するスクリーン」を「文字、イメージ、音声及び動画像のデータを表示するスクリーン」に限定した本願補正発明について、前記のとおり、その容易想到性が肯定されるのであるから、本願発明も、本願補正発明と同様の理由により、その容易想到性が肯定されるものである。
　
（３）むすび
　したがって、本願発明は、引用例発明に基いて、当業者が容易に発明をすることができたものであるから、特許法第２９条第２項の規定により特許を受けることができない。
　よって、結論のとおり審決する。